(57)【特許請求の範囲】
【請求項１】
電池電源を供給する電池部、器具への指示信号を入力操作する操作部、器具の設定状態・運転状態・操作内容を報知する報知部、電気信号を電波信号に変換して送信するとともに受信した電波信号を電気信号に変換する無線送受信部及び前記操作部からの入力操作信号を受信するＩＣを有した複数台の無線リモコンと、器具の動作を制御するとともに、今までに使用した設定温度を記憶、あるいは、前記設定温度の使用回数をカウントする器具本体制御部と、前記無線送受信部からの信号を前記器具本体制御部に出力するとともに、前記器具本体制御部からの信号を前記無線送受信部へ出力する通信ユニットとを備え、前記通信ユニットは、前記無線リモコンの全てが前記器具本体制御部からの通信に対して一定の回数を限度として応答しない場合には通信不能と判断し、給湯設定温度を前記器具本体制御部に記憶された任意のメモリー温度に変更して運転を可能とした給湯機の制御装置。
【請求項２】
通信不能と判断したとき、器具本体制御部に記憶されたメモリーのうちで通信エラー直前にあった無線リモコンのラストメモリーに給湯設定温度を変更させる請求項１記載の給湯機の制御装置。
【請求項３】
通信不能と判断したとき、器具本体制御部に記憶されたメモリーのうちで使用回数が最も多かった給湯設定温度に変更させる請求項１記載の給湯機の制御装置。
【請求項４】
通信不能と判断したとき、器具本体制御部に記憶されたメモリーのうちで最も低い給湯設定温度に変更させる請求項１記載の給湯機の制御装置。
【発明の詳細な説明】
【０００１】
【発明の属する技術分野】
本発明は、電波によって器具本体を遠隔操作する無線リモコンを備えた給湯機の制御装置に関するものである。
【０００２】
【従来の技術】
従来１台の無線リモコンによって１台の給湯機を運転制御するものであった。
【０００３】
【発明が解決しようとする課題】
しかし従来の無線リモコンを備えた給湯機では、通信エラーになるとリモコン操作が不可能になるため、給湯機が通信エラーを検知し、燃焼を停止していた。したがって、通信エラー時給湯機が使用できず、使用上不便であった。
【０００４】
本発明は上記課題を解決するもので、通信エラーになった場合でも、給湯機が使用できないという使用上の不便さを解消することを目的とする。
【０００５】
【課題を解決するための手段】
本発明の給湯機の制御装置においては、無線送受信部をそれぞれ有する複数台の無線リモコン及び器具の通信ユニットにおいて、器具側からの通信に対して、全ての無線リモコンがある一定回数を限度として応答しない場合には、給湯設定温度を器具の本体制御部にあらかじめ記憶しておいた温度に変更して運転を継続する手段を備えている。
【０００６】
この本発明によれば、通信エラーが発生した場合でも、給湯機の運転が継続できる。
【０００７】
【発明の実施の形態】
上記目的を達成するために、本発明による給湯機の制御装置の第１の手段は、電池電源を供給する電池部、器具への指示信号を入力操作する操作部、器具の設定状態・運転状態・操作内容を報知する報知部、電気信号を電波信号に変換して送信するとともに受信した電波信号を電気信号に変換する無線送受信部及び前記操作部からの入力操作信号を受信するＩＣを有した複数台の無線リモコンと、器具の動作を制御するとともに、今までに使用した設定温度を記憶、あるいは、前記設定温度の使用回数をカウントする器具本体制御部と、前記無線送受信部からの信号を前記器具本体制御部に出力するとともに、前記器具本体制御部からの信号を前記無線送受信部へ出力する通信ユニットとを備え、前記通信ユニットは、前記無線リモコンの全てが前記器具本体制御部からの通信に対して一定の回数を限度として応答しない場合には通信不能と判断し、給湯設定温度を前記器具本体制御部に記憶された任意のメモリー温度に変更して運転を可能としたものである。
【０００８】
本発明の第２の手段は、無線リモコンのすべてが通信エラーになった時、器具本体制御部に記憶されたメモリーのうちで通信エラー直前にあったリモコンのラストメモリーに給湯設定温度を変更する機能を備えたものである。
【０００９】
本発明の第３の手段は、無線リモコンのすべてが通信エラーになった時、器具本体制御部に記憶されたメモリーのうちで使用回数が最も多かった給湯設定温度に変更する機能を備えたものである。
【００１０】
本発明の第４の手段は、無線リモコンのすべてが通信エラーになった時、器具本体制御部に記憶されたメモリーのうちで最も低い給湯設定温度に変更する機能を備えたものである。
【００１１】
上記第１の手段により本発明の給湯機の制御装置は、すべてのリモコンが通信エラーになった場合、給湯設定温度を器具本体制御部に記憶された任意のメモリーに変更し運転継続することにより、通信エラー時でも給湯機を使用できるようになる。
【００１２】
また上記第２の手段により本発明の給湯機の制御装置は、すべてのリモコンが通信エラーになった場合、給湯設定温度を通信エラー直前に優先のあったリモコンのラストメモリーに変更することにより、給湯温度に変化がないので、使用者が違和感なく使用継続することができ、使用性が向上する。
【００１３】
また上記第３の手段により本発明の給湯機の制御装置は、すべてのリモコンが通信エラーになった場合、給湯設定温度を記憶されている温度で使用回数が最も多かった温度に変更することにより、使用者が最も必要とする温度で使用継続することができ、使用性が向上する。
【００１４】
また上記第４の手段により本発明の給湯機の制御装置は、すべてのリモコンが通信エラーになった場合、給湯設定温度を記憶されている温度で最も低い温度に変更することにより、使用者が今まで使用したことのある最も低い温度で使用継続することができ、安全性の確保が図れる。
【００１５】
【実施例】
以下、本発明の給湯機の制御装置の実施例について、図面を参照しながら説明する。
【００１６】
図１は、本発明の一実施例としての給湯機用制御装置の構成図であり、図２はその内部回路図である。
【００１７】
図１に示すように本発明の制御装置は、第１の無線リモコン１と第２の無線リモコン２と通信ユニット３で構成されており（無線リモコンが３台以上ももちろん可能である）、通信ユニット３は器具４に取り付け、器具本体内で器具４の動作を制御したり、今までに使用されたことのある温度やその温度それぞれの使用回数を記憶・カウントする本体制御部５と接続されている。また第１の無線リモコン１と第２の無線リモコン２にはそれぞれ器具４への指示信号を入力操作する操作部６，７、器具の設定状態、運転状態および操作内容の表示を行う報知部８，９を備えている。
【００１８】
図２に示すように第１の無線リモコン１と第２の無線リモコン２は同じ回路構成となっている。それぞれリモコンの動作を制御するＩＣ１０，１１を有している。そしてこのＩＣ１０，１１は、電気信号と電波信号の変換器である無線送受信部１４，１５をコントロールし、操作部６，７からの信号を受け付け、報知部８，９へ信号を出力する。
【００１９】
また通信ユニット３は、本体制御部５と信号の送受を行うＩＣ１６と無線送受信部１７（第１の無線リモコン１、第２の無線リモコン２に内蔵のものと同じ）を持ち、ＩＣ１６は無線送受信部１７をコントロールする。
【００２０】
次に上記構成における動作を説明する。通信ユニット３から第１の無線リモコン１、第２の無線リモコン２に向けて通信が行われた場合、その通信に対する応答がない時、通信ユニットはリトライ機能を有し一定回数の通信リトライを行うが、その一定回数の間に無線リモコンからの応答がない場合、通信ユニット３のＩＣ１６は第１の無線リモコン１、第２の無線リモコン２が通信不能と判断する。
【００２１】
そしてこの時、器具４の給湯設定温度を、ＩＣ１６は本体制御部５へあらかじめプログラムされた条件の温度への変更信号を出力し、これを受け取った本体制御部５はプログラムされた条件の温度を本体制御部５内メモリーより引き出し、給湯設定温度を変更するよう器具４をコントロールする。
【００２２】
ここでプログラムされた条件の温度とは、通信エラー直前に使用されていたラストメモリーの温度、使用回数が最も多かった温度、使用されたうちで最も低かった温度等である。また温度記憶は本体制御部５以外で記憶してもいいものとする。
【００２３】
以上のように本実施例によれば、無線リモコンのすべてが通信エラーとなった場合、給湯設定温度を、記憶された任意の温度に変更し運転継続することができ、使用者の使用性・安全性の向上が図れる。
【００２４】
【発明の効果】
以上の説明から明らかなように、本発明による請求項１の給湯機の制御装置は、すべてのリモコンが通信エラーになった場合、給湯設定温度を器具本体制御部に記憶された任意のメモリーに変更し運転継続することにより、通信エラー時でも給湯機を使用できる。
【００２５】
また請求項２では、すべてのリモコンが通信エラーになった場合、給湯設定温度を通信エラー直前に優先のあったリモコンのラストメモリーに変更することにより、給湯温度に変化がないので、使用者が違和感なく使用継続することができ、使用性を向上できる。
【００２６】
また請求項３では、すべてのリモコンが通信エラーになった場合、給湯設定温度を記憶されている温度で使用回数が最も多かった温度に変更することにより、使用者が最も必要とする温度で使用継続することができ、使用性を向上できる。
【００２７】
さらにまた請求項４では、すべてのリモコンが通信エラーになった場合、給湯設定温度を記憶されている温度で最も低い温度に変更することにより、使用者が今まで使用したことのある最も低い温度で使用継続することができ、安全性を確保できる。
【図面の簡単な説明】
【図１】（ａ）本発明の一実施例による給湯機の制御装置の第１の無線リモコンの構成図
（ｂ）同装置の第２の無線リモコンの構成図
（ｃ）同装置の器具側の構成図
【図２】（ａ）図１の第１の無線リモコンの内部回路図
（ｂ）図１の第２の無線リモコンの内部回路図
（ｃ）図１の器具側の内部回路図
【符号の説明】
１  第１の無線リモコン
２  第２の無線リモコン
３  通信ユニット
４  器具
５  本体制御部
６，７  操作部
８，９  報知部
１０，１１  （リモコン内蔵）ＩＣ
１２，１３  電池
１４，１５  （リモコン内蔵）無線送受信部
１６  （通信ユニット内蔵）ＩＣ
１７  （通信ユニット内蔵）無線送受信部
【図１】
0003758221.tif 000002
【図２】
0003758221.tif 000003